(57)【要約】【課題】一つの蓋部を異なる方法で操作することにより、電池の着脱と記録媒体の着脱とを個別に行うことができる電子機器を提供する。【解決手段】この電子機器は、電池が着脱自在に装着される電池装着部８と、記録媒体２６が着脱自在に装着される記録媒体装着部１３ａと、該記録媒体装着部１３ａおよび電池装着部８の各開口を開閉自在に覆う蓋部１６Ａと、を備える。蓋部１６Ａは、第１の操作により記録媒体装着部１３ａに対する記録媒体１６の着脱を可能にし、第２の操作により電池装着部８に対する電池の着脱を可能にする。【選択図】図１
2008066198.tif 000002
【特許請求の範囲】
【請求項１】
電池が着脱自在に装着される電池装着部と、記録媒体が着脱自在に装着される記録媒体装着部と、該記録媒体装着部および前記電池装着部の各開口を開閉自在に覆う蓋部と、を備える電子機器であって、
前記蓋部の第１の操作により前記記録媒体装着部に対する前記記録媒体の着脱を可能にし、前記蓋部の前記第１の操作とは異なる第２の操作により前記電池装着部に対する前記電池の着脱を可能にする蓋開閉機構を設けたことを特徴とする電子機器。
【請求項２】
前記蓋開閉機構は、前記蓋部が閉じ位置からの第１の位置に変位することで前記記録媒体装着部に対する前記記録媒体の着脱を可能にし、前記蓋部が前記第１の位置から第２の位置へ変位することで前記電池装着部に対する前記電池の着脱を可能にすることを特徴とする請求項１に記載の電子機器。
【請求項３】
前記蓋部が前記閉じ位置から前記第１の位置にあるときには、前記蓋部が前記電池装着部を開閉する動作を規制する動作規制機構を有することを特徴とする請求項２に記載の電子機器。
【請求項４】
前記蓋部の前記第１の操作と前記第２の操作との操作方向が、互いに異なることを特徴とする請求項１ないし３のいずれかに記載の電子機器。
【請求項５】
前記蓋部には前記電池装着部に装着された前記電池の電極に電気的に導通する電池接片が設けられ、該電池接片は、前記第１の操作により前記電極を摺動することを特徴とする請求項１ないし４のいずれか又は２に記載の電子機器。
【請求項６】
前記蓋開閉機構は、前記第１の操作により、前記蓋部がスライド動作して前記記録媒体装着部の開口を開放し、前記第２の操作により、前記蓋部が前記電池装着部の開口から離間する方向に回動動作して該電池装着部の開口を開放することを特徴とする請求項１ないし５のいずれかに記載の電子機器。
【請求項７】
前記蓋開閉機構は、前記第１の操作により、前記蓋部がスライド動作して前記記録媒体装着部の開口を開放し、前記第２の操作により、前記蓋部が前記第１の操作の逆方向にスライド動作して前記電池装着部の開口を開放する、
ことを特徴とする請求項１ないし５のいずれかに記載の電子機器。
【発明の詳細な説明】
【技術分野】
【０００１】
本発明は、例えば、デジタルカメラ等のように、電池装着部と記録媒体装着部とを備える電子機器に関する。
【背景技術】
【０００２】
デジタルカメラ等の電子機器では、電池が着脱自在に装着される電池装着部と、メモリカード等の記録媒体が着脱自在に装着される記録媒体装着部と、を備えたものがある。記録媒体装着部および電池装着部の各開口は蓋部によって開閉自在に覆われる。
【０００３】
この場合、記録媒体装着部および電池装着部の各開口を別々の蓋部で覆うと部品点数が多くなるため、１つの蓋部によって記録媒体装着部および電池装着部の各開口を覆うようにしたものもある。
【０００４】
また、通常、デジタルカメラでは、電池の本数は２本の場合が主流であるが、高倍率で多機能な機種では電池を４本使用しているものもある。
【０００５】
さらに、蓋部をカメラ本体に回動可能に支持してその回動動作により電池装着部および記録媒体装着部の各開口を開閉自在に覆うとともに、蓋部とカメラ本体との間にシール部材を介装した防水型カメラが提案されている。この提案では、蓋部が回動半径方向に移動可能とされている（特許文献１参照）。
【特許文献１】特開２００４−１５７２４０号公報
【発明の開示】
【発明が解決しようとする課題】
【０００６】
上記従来の技術では、１つの蓋部によって記録媒体装着部および電池装着部の各開口を覆う場合、例えば記録媒体装着部に対して記録媒体を着脱する際、電池装着部に装着されている電池はカメラ内部に設けられたロック部材で飛び出しを防止している。
【０００７】
しかし、単三電池を２本使用する場合は、蓋部を二重構造（２つの蓋部）にして電池装着部に装着されている電池をロックしているため、その分蓋部の厚みが厚くなるとともに、構造も複雑化してカメラが大型化し、しかも、部品点数が増えてコスト高になる。
【０００８】
単三電池を４本使用する場合は、蓋部自体が大型化して、部品点数も多くなる。また、蓋部を二重構造としても電池装着部に装着されている電池をロックできないため、記録媒体装着部に対して記録媒体のみの着脱する際に、カメラの姿勢差によっては電池装着部に装着されている電池が飛び出してしまい、非常に使い勝手が悪い。
【０００９】
さらに、上記特許文献１では、蓋部に取り付けられた開閉ダイアルを操作することで、蓋部をロックするようにしているので、部品点数が多くなる。
【００１０】
そこで、本発明は、一つの蓋部を異なる方法で操作することにより、電池の着脱と記録媒体の着脱とを個別に行うことができる電子機器を提供することを目的とする。
【課題を解決するための手段】
【００１１】
上記目的を達成するために、本発明の電子機器は、電池が着脱自在に装着される電池装着部と、記録媒体が着脱自在に装着される記録媒体装着部と、該記録媒体装着部および前記電池装着部の各開口を開閉自在に覆う蓋部と、を備える電子機器であって、前記蓋部の第１の操作により前記記録媒体装着部に対する前記記録媒体の着脱を可能にし、前記蓋部の前記第１の操作とは異なる第２の操作により前記電池装着部に対する前記電池の着脱を可能にする蓋開閉機構を設けたことを特徴とする。
【発明の効果】
【００１２】
本発明によれば、蓋部が、第１の操作により記録媒体装着部に対する記録媒体の着脱を可能にし、第２の操作により電池装着部に対する電池の着脱を可能にする。
【００１３】
従って、一つの蓋部を異なる方法で操作して、電池の着脱と記録媒体の着脱とを個別に行うことができる。
【００１４】
これにより、部品点数が削減されてコスト増を抑えることができ、また、記録媒体装着部に対して記録媒体のみの着脱する際に、電池装着部に装着されている電池が飛び出すのを防止することができる。
【発明を実施するための最良の形態】
【００１５】
以下、本発明の実施の形態を図を参照して説明する。
【００１６】
図１２は本発明の第１の実施形態であるデジタルスチルカメラの外観を示す正面図、図１３は本発明の第１の実施形態であるデジタルスチルカメラの外観を示す斜視図である。
【００１７】
まず、図１２および図１３を参照して、本発明の第１の実施形態であるデジタルスチルカメラ（電子機器）は、カメラ筐体１の前面側に撮影光学系を構成するレンズ鏡筒２が取り付けられている。カメラ筐体１の上面側には、電源ボタン４、レリーズボタン５、モードダイヤル６、およびポップアップ式のストロボ７が配置され、カメラ筐体１の背面側上部には、電子ビューファインダ３が配置されている。
【００１８】
電子ビューファインダ３は、レンズ鏡筒２からの入射した被写体を固体撮像素子上に結像し、画像処理した被写体像を観察するためのものである。モードダイヤル６は、カメラの撮影モードなどを変更するためのものである。また、カメラ筐体１の底部の一側には、電池蓋（蓋部）１６Ａが取り付けられている。なお、カメラ筐体１の背面部には、ファインダ接眼部や液晶表示パネル、操作キー（いずれも図示せず）等が配設される。
【００１９】
図２は本発明の第１の実施形態であるデジタルスチルカメラの電池装着部および記録媒体装着部の構造を説明するための分解斜視図である。図２を参照して、電池装着部８および記録媒体装着部１３ａについて説明する。
【００２０】
図２に示すように、電池装着部８は、第１の分割体８Ａと、第２の分割体８Ｂとを備えており、４本の電池が着脱自在に装着される収納空間を有している。第２の分割体８Ｂは、第１の分割体８Ａに形成されているボス等の位置決め部材（不図示）を介して第１の分割体８Ａに対して位置決めされた状態で、係止爪やビス等の保持手段で保持されている。なお、本実施形態では、電池装着部８を分割しているが、一体であってもよい。
【００２１】
また、第２の分割体８Ｂの底部側の開口部（不図示）には、電池接片１０、電池接片１１、および電池接片１２がそれぞれ係止爪等の保持手段で保持されている。電池接片１１の端子部１１ａおよび電池接片１２の端子部１２ａは、基板或いはフレキシブルプリント基板（不図示）に半田付けされる。
【００２２】
第１の分割体８Ａには、爪部８ａ，８ｂ，８ｃが形成されている。電池蓋１６Ａが閉じているときに、カバー部材１６に形成されている爪部１６ａ，１６ｂ，１６ｃがそれぞれ、爪部８ａ，８ｂ，８ｃに係合することで、電池蓋１６Ａが閉じた状態で保持される。
【００２３】
第１の分割体８Ａには一対の穴８ｄが形成され、スライド部材１７に形成されている一対の曲げ穴１７ｊと一対の穴８ｄにシャフト２４を挿通することで、スライド部材１７は第１の分割体８Ａに対して回動自在に保持される。
【００２４】
第１の分割体８Ａに形成されているボス８ｅと穴８ｆには、スイッチ部材１４に形成される長穴１４ａとボス１４ｂがそれぞれ摺動可能に係止されている。スイッチ部材１４には、該スイッチ部材１４に形成される保持手段（不図示）によりスイッチバネ１５が保持されている。スイッチ部材１４は、スイッチバネ１５の付勢力によって図２の矢印Ｃ方向に付勢されている。
【００２５】
電池装着部８には、該電池装着部８に形成されているボス等の位置決め部材（不図示）を介してメイン基板１３が位置決めされて、ビス等の保持手段で保持される。メイン基板１３には、記録メディアカード（記録媒体）が着脱自在に装着される例えばスロット等の記録媒体装着部１３ａが設けられるとともに、電池蓋１６の開閉を検知する検知スイッチ１３ｂが半田付けされている。
【００２６】
（検知スイッチ１３ｂとスイッチ部材１４との関係）
図３は本発明の第１の実施形態であるデジタルスチルカメラの電池蓋を説明するための分解斜視図である。  
【００２７】
図３に示すように、電池蓋１６Ａは、カバー部材１６、スライド部材１７、およびスライド部材１８を備えている。カバー部材１６には、ボス１６ｄ，１６ｅが形成されている。ボス１６ｄ，１６ｅは、それぞれスライド部材１７に形成されているカム溝１７ａ，１７ｂを挿通する。さらにボス１６ｄ，１６ｅは、それぞれスライド部材１８に形成されている長穴１８ｃ，１８ｄを挿通している。ネジ部材２２がボス１６ｄに螺合し、ストッパー部材２３がボス１６ｅにネジ等の保持手段により保持される。したがって、ボス１６ｄ，１６ｅはカム溝１７ａ，１７ｂに対するカムフォロアとして機能するとともに、長穴１８ｃ，１８ｄに対するカムフォロアとしても機能する。したがって、スライド板１７はカバー部材１６に対してカム溝１７ａ，１７ｂの範囲で移動自在に保持され、スライド部材１８はカバー部材１６に対して長穴１８ｃ，１８ｄの範囲で移動自在に保持される。
【００２８】
カバー部材１６には、電池蓋１６Ａが閉じ状態にあるときに、第１の分割体８Ａに形成される爪部８ａ，８ｂ，８ｃに係合する爪部１６ａ，１６ｂ，１６ｃが形成されている。
【００２９】
カバー部材１６には、台形溝１６ｇ，１６ｈが形成され、スライド部材１７にはロック爪１７ｇ，１７ｆ形成されている。電池蓋１６Ａが閉じ状態にあるとき、ロック爪１７ｇが台形溝１６ｇに入り込んで、電池蓋１６Ａを閉じ状態に保持することができる。一方、電池蓋１６Ａが開き状態にあるとき、ロック爪１７ｆが台形溝１６ｈに入り込んで、電池蓋１６Ａを開き状態に保持することができる。
【００３０】
スライド部材１７には、スライド部材１８に形成されるボス１８ａが挿通されるカム溝１７ｃとスライド部材１８に形成されるボス１８ｂが挿通されるカム溝１７ｅが形成される。さらに、スライド部材１７には、一対の曲げ穴１７ｊが形成され、シャフト２４をこの曲げ穴１７ｊと第１の分割体８Ａに形成された一対の穴８ｄに挿通させることで、スライド部材１７が電池装着部８に対して回動自在に保持される。また、スライド部材１７を開方向に付勢するオープンバネ２５がシャフト２４の端部に外挿された状態で介装されている。
【００３１】
スライド部材１８にはボス１８ｇが形成される。スライド部材１８のボス１８ｇが電池接片１９に形成された穴１９ａを挿通して溶着されることで、電池接片１９がスライド部材１８に固定される。  
【００３２】
さらに、電池接片１９に形成されている穴（不図示）に、接片部材２０と接片部材２１に形成されているボス（不図示）がそれぞれ溶着等によって、接片部材２０と接片部材２１が電池接片１９に保持される。  
【００３３】
なお、上述したように、ボス１８ａ，１８ｂがスライド部材１７に形成されているカム溝１７ｃ，１７ｅを摺動するので、図４に示す電池蓋１６Ａの閉状態のときに、スライド部材１８がスライド部材１７に対して、矢印Ｄ方向に動いてしまう。このため、スライド部材１８に形成されたボス１８ｅ，１８ｆをスライド部材１７の端部１７ｈ，１７ｉに当接させることで、スライド部材１８の矢印Ｄ方向への移動を規制している。
【００３４】
なお、本実施形態では、スライド部材１８に形成されたボス１８ｅ，１８ｆをスライド部材１７の端部１７ｈ，１７ｉに当接させているが、スライド部材１８を矢印Ｄと反対方向にバネなどの付勢部材で付勢させてもよい。また、本実施形態では、スライド部材１７を金属製としているが、樹脂等の絶縁部材で形成してもよい。
【００３５】
これにより、電池蓋１６Ａが電池装着部８に対して回動可能に支持され、電池蓋１６Ａのスライドおよび回動動作により電池装着部８および記録媒体装着部１３ａの各開口が開閉自在に覆われる。
【００３６】
次に、図１および図４〜図８を参照して、電池蓋１６Ａのスライド動作および回動動作について説明する。図１は本発明の第１の実施形態であるデジタルスチルカメラの電池蓋のスライド動作を説明するための説明図である。図１（ａ）は電池蓋１６Ａが閉じ位置にある状態を示している。この状態から電池蓋１６Ａを矢印Ａ方向にスライドさせると、図１（ｂ）に示す第１のスライド位置になって記録媒体装着部１３ａに記録メディアカード２６の着脱が可能となる。この状態から電池蓋１６Ａを矢印Ｂ方向にスライドさせると図１（ｃ）に示す第２のスライド位置に状態になって電池の挿脱が可能となる。一方、図１（ｂ）の状態から電池蓋１６Ａを矢印Ｇ方向にスライドさせると図１（ａ）に示す第１のスライド位置に戻る。
【００３７】
図４は、図１（ａ）に示す状態でのカバー部材１６、スライド部材１７およびスライド板１８の位置関係を示す図である。図８は、電池蓋１６の開閉を検知するスイッチのＯＮ／ＯＦＦ位置を説明するための図である。図１（ａ）および図４に示す電池蓋１６Ａが閉じ位置にある状態では、図８（ｂ）に示すように、カバー部材１６に設けられた面１６ｆがスイッチバネ１５の付勢力に抗してスイッチ部材１４を押す。スイッチ部材１４が押されると…メイン基板１３に実装された検知スイッチ１３ｂを押して、該検知スイッチ１３ｂがＯＮとなり、電池蓋１６Ａが閉じ位置にあることが検知される。
【００３８】
この状態では、電池装着部８の第１の分割体８Ａに形成されている爪部８ａ，８ｂ，８ｃがカバー部材１６に形成されている爪部１６ａ，１６ｂ，１６ｃにそれぞれ係止されて電池蓋１６Ａが閉じ位置で保持されている。
【００３９】
電池蓋１６Ａが閉じ位置にあるときには、図４（ｂ）に示すように、スライド部材１７に形成されているロック爪１７ｇがカバー部材１６に形成されている台形溝１６ｇに位置している。このとき、ロック爪１７ｇはプリチャージされている。
【００４０】
さらに、図４（ｄ）に示すように、スライド部材１７に形成されているロック爪１７ｆがカバー部材１６に形成されている台形溝１６ｈに位置している。このとき、ロック爪１７ｆはプリチャージされずにガタつかない程度で保持されている。
【００４１】
電池蓋１６Ａが閉じ位置にあるときには、図４（ｃ）に示すように、カバー部材１６に形成されているボス１６ｄ，１６ｅは、スライド部材１７に形成されているカム溝１７a，１７ｂの溝端に当接し、スライド部材１８の長穴１８ｄの穴端にストッパー部材２３が当接している。スライド部材１８に形成されたボス１８ｅ，１８ｆは、スライド部材１７の端部１７ｈ，１７ｉに当接している。
【００４２】
また、スライド部材１８に形成されているボス１８ａ，１８ｂは、スライド部材Ａ１７上に形成されているカム溝１７ｃ，１７ｅの溝端との間に隙間ａを保っている。
【００４３】
図５は、図１（ａ）に示す状態から電池蓋１６Ａを第１のスライド位置に向けてスライドさせている途中でのカバー部材１６、スライド部材１７およびスライド板１８の位置関係を示す図である。
【００４４】
この状態のとき、図５（ｃ）に示すように、カバー部材１６に形成されているボス１６ｄ，１６ｅがスライド部材１７に形成されているカム溝１７ａ，１７ｂおよびスライド部材１８に形成されている長穴１８ｃ，１８ｄに沿って移動する。そして、ストッパー部材２３がスライド部材１８に形成されている長穴１８ｄの穴端に当接する。
【００４５】
そして、このスライド動作時に、図８（ｃ）に示すように、カバー部材１６に設けられた面１６ｆがスイッチ部材１４から離れて、メイン基板１３に実装されている検知スイッチ１３ｂがＯＦＦ状態となり、電池蓋１６が開いたことが検知される。
【００４６】
なお、この状態では、図５（ｃ）に示すように、カバー部材１６に形成されているボス１６ｄ，１６ｅは、スライド部材１７に形成されているカム溝１７ａ，１７ｂの溝端との間に隙間ｂが保たれている。このとき、スライド部材１８に形成されているボス１８ａ，１８ｂは、スライド部材Ａ１７上に形成されているカム溝１７ｃ，１７ｅの溝端との間に隙間ａを保ったままである。
【００４７】
図６は、図１（ｂ）に示す第１のスライド動作完了状態におけるカバー部材１６、スライド部材１７およびスライド板１８の位置関係を示す図である。
【００４８】
従って、図６（ｃ）に示すように、図５（ｃ）の状態からさらに同方向に電池蓋１６Ａをスライド動作させると、カバー部材１６に形成されているボス１６ｄ，１６ｅがスライド部材１７に形成されているカム溝１７ａ，１７ｂの溝端に当接する。同時にストッパー部材２３がスライド部材１８に形成されている長穴１８ｄの穴端を押し込むことで、スライド部材１８に形成されているボス１８ａ，１８ｂはスライド部材１７に形成されているカム溝１７ｃ，１７ｅの溝端に当接する。
【００４９】
このスライド動作でスライド部材１８に配設されている電池接片１９が電池装着部８に装着された電池（不図示）の電極を所定量摺動することにより、該電極の酸化皮膜が削られて、電池のセルフクリーニングが行われる。
【００５０】
また、この状態では、スライド部材１７に形成されているロック爪１７ｇがカバー部材１６に形成されている台形溝１６ｇに位置して、プリチャージされる。
【００５１】
一方、図６（ｄ）に示すように、スライド部材１７に形成されているロック爪１７ｆがカバー部材１６に形成されている台形溝１６ｈに位置している。このとき、ロック爪１７ｆはプリチャージされずにガタつかない程度で保持されている。
【００５２】
閉じ位置から第１のスライド位置へのスライド動作によって、カバー部材１６に形成されている爪部１６ａ，１６ｂが電池装着部８の第１の分割体８Ａに形成されている爪部８ａ，８ｂから離脱する。しかし、この上体ではカバー部材１６に形成されている爪部１６ｃと第１の分割体８Ａに形成されている爪部８ｃと係合が維持される。このことによって電池蓋１６Ａがこの状態では閉じた状態で保持されている。図１（ｂ）および図６に示した状態では、記録媒体装着部１３ａに対して記録メディアカード（記録媒体）２６の着脱が可能となる。
【００５３】
図１（ｂ）に示す第１のスライド位置から電池蓋１６Ａを矢印Ｂ方向にスライドさせると図１（ｃ）に示す第２のスライド位置に状態になって電池の挿脱が可能となる。図７は、図１（ｃ）に示す状態でのカバー部材１６、スライド部材１７およびスライド板１８の位置関係を示す図である。
【００５４】
電池蓋１６Ａを図１（ｂ）の矢印Ｂ方向へスライド動作させると、図７（ｃ）に示すように、カバー部材１６に形成されているボス１６ｄ，１６ｅがスライド部材１７に形成されているカム溝１７ａ，１７ｂに沿って移動して溝端に当接する。同時にスライド部材１８に形成されているボス１８ａ，１８ｂはスライド部材１７に形成されているカム溝１７ｃ，１７ｅに沿って移動して溝端に当接する。
【００５５】
また、このスライド動作時に、図７（ｂ）に示すように、スライド部材１７に形成されているロック爪１７ｇがプリチャージされたままカバー部材１６に形成されている台形溝１６ｇを移動する。一方、図７（ｄ）に示すように、スライド部材１７に形成されているロック爪１７ｆが乗り上げてカバー部材１６に形成されている台形溝１６ｈを移動し、プリチャージされ保持される。
【００５６】
第１のスライド位置から第２のスライド位置へのスライド動作によって、カバー部材１６に形成されている爪部１６ｃと電池装着部８の第１の分割体８Ａに形成されている爪部８ｃとの係合が解除されるので、電池蓋１６Ａを閉じ状態に保持する力が無くなる。これにより、オープンバネ２５の付勢力によって、電池蓋１６Ａがシャフト２４を中心として図７（ｄ）の矢印Ｅ方向に回動して、電池装着部８に対して電池の着脱が可能となる。なお、この状態でも、記録媒体装着部１３ａに記録メディアカード２６の着脱は可能である。
【００５７】
次に、電池蓋１６Ａを閉じる際の動作を説明する。
【００５８】
まず、電池蓋１６Ａが開かれた状態でオープンバネ２５の付勢力に逆らう方向に電池蓋Ａ１６を回動させる。電池蓋１６Ａが電池装着部８に突き当たったら、電池蓋１６を図１（ｃ）の矢印Ｆ方向にスライド動作させる。すると、図６（ｃ）に示すように、カバー部材１６に形成されているボス１６ｄ，１６ｅがスライド部材１７に形成されているカム溝１７ａ，１７ｂに沿って移動して溝端に当接する。同時にスライド部材１８に形成されているボス１８ａ，１８ｂはスライド部材１７に形成されているカム溝１７ｃ，１７ｅに沿って移動して溝端に当接する。
【００５９】
また、図１（ｃ）に示した第２のスライド位置から図１（ｂ）に示した第１のスライド位置へのスライド動作時には、スライド部材１７に形成されているロック爪１７ｇがプリチャージされたままカバー部材１６に形成されている台形溝１６ｇを移動する。一方、図６（ｄ）に示すように、スライド部材１７に形成されているロック爪１７ｆがカバー部材１６に形成されている台形溝１６ｈを乗り上げて移動し、プリチャージされずにガタつかない程度で保持されている。また、このスライド動作時にカバー部材１６に形成されている爪部１６ｃと電池装着部８の第１の分割体８Ａに形成されている爪部８ｃとが係合して、電池蓋Ａ１６が閉じ状態に保持される。
【００６０】
この状態で、電池蓋１６を図１（ｂ）の矢印Ｇ方向へスライド動作させていくと、カバー部材１６に形成されているボス１６ｄ，１６ｅがスライド部材１７に形成されているカム溝１７ａ，１７ｂの溝端に当接する。同時にストッパー部材２３がスライド部材１８に形成されている長穴１８ｄの穴端に当接する。
【００６１】
これにより、スライド部材１８に形成されているボス１８ａ，１８ｂはスライド部材１７に形成されているカム溝１７ｃ，１７ｅの溝端から所定の隙間ａだけ離れた位置に保持される。
【００６２】
図１（ｂ）に示した第１のスライド位置から図１（ａ）に示した閉じ位置へのスライド動作でスライド部材１８に配設されている電池接片１９が電池装着部８に装着された電池（不図示）の電極を所定量摺動することにより、該電極の酸化皮膜が削られて、電池のセルフクリーニングが行われる。
【００６３】
また、図１（ｂ）から図１（ａ）へのスライド動作により、図８（ｂ）に示すように、カバー部材１６に設けられた面１６ｆがスイッチ部材１４を押して、該メイン基板１３に実装された検知スイッチ１３ｂがＯＮ状態となり、電池蓋１６が閉じたことが検知される。さらに、このスライド動作時に、電池装着部８の第１の分割体８Ａに形成されている爪部８ａ，８ｂが電池蓋１６Ａのカバー部材１６に形成されている爪部１６ａ，１６ｂにそれぞれ係合することで、電池蓋１６Ａ電池装着部８の第１の分割体８Ａに対して閉じた状態となる。
【００６４】
以上説明したように、この実施形態では、一つの電池蓋１６Ａを異なる操作方向に操作することで、電池の着脱と記録メディアカード２６の着脱とを個別に行うことができる。
【００６５】
これにより、デジタルスチルカメラの部品点数が削減されてコスト増を抑えることができる。また、記録媒体装着部１３ａに対して記録メディアカード２６のみの着脱する際には、電池蓋１６Ａが閉じ状態を維持されるので、電池装着部８に装着されている電池が飛び出すのを防止することができる。
【００６６】
また、記録メディアカード２６を着脱する際の電池蓋１６Ａのスライド動作により、電池装着部８に装着された電池電極の酸化皮膜が削られて、電池のセルフクリーニングが行われるので、常に安定した電源供給が可能となり、撮影枚数等が増加する。
【００６７】
なお、この実施形態では、電池蓋１６Ａを電池装着部８に対して回動可能に取り付けた場合を例示したが、これに限定されず、例えば、電池蓋１６Ａをカメラ筐体１に着脱自在に取り付けるようにしてもよい。
【００６８】
次に、図９〜図１１を参照して、本発明の第２の実施形態であるデジタルスチルカメラを説明する。
【００６９】
図９は本発明の第２の実施形態であるデジタルスチルカメラの電池蓋のスライド動作を説明するための説明図であり、電池蓋が閉じた状態を示す図である。図１０は本発明の第２の実施形態であるデジタルスチルカメラの電池蓋が第１のスライド位置にある状態を示す図、図１１は本発明の第２の実施形態であるデジタルスチルカメラの電池蓋が第２のスライド位置にある状態を示す図である。
【００７０】
本発明の第２の実施形態であるデジタルスチルカメラは、図９に示すように、カメラ筐体１の底面に電池蓋１６Ａが矢印ＡおよびＢ方向にスライド動作可能に取り付けられている。カメラ筐体１の電池蓋１６Ａによって覆われる部分には、図１０および図１１に示すように、記録メディアカード２６が着脱される記録媒体装着部１３ａおよび２本の電池（不図示）が着脱される電池装着部８が設けられている。
【００７１】
そして、図９の状態から図９の矢印Ａ方向に電池蓋１６Ａをスライド動作させることで、記録媒体装着部１３ａの開口が開放されて、記録媒体装着部１３ａに対して記録メディアカード２６の着脱が可能になる。
【００７２】
このスライド動作時には、説明は省略するが、上記第１の実施形態と同様に、電池蓋１６Ａに設けた電池接片が電池装着部８に装着された電池の電極を摺動して、該電極が削られ、電池のセルフクリーニングが行われる。
【００７３】
また、図９の状態から図９の矢印Ｂ方向に電池蓋１６Ａをスライド動作させることで、電池装着部８の開口が開放されて、電池装着部８に対して電池の着脱が可能となる。なお、この実施形態においても、上記第１の実施形態と同様に、電池蓋１６Ａをカメラ筐体１に対して着脱自在に取り付けるようにしてもよい。
【００７４】
なお、本発明は上記実施の形態に例示したものに限定されるものではなく、本発明の要旨を逸脱しない範囲において適宜変更可能である。
【００７５】
例えば、上記実施の形態では、電子機器としてデジタルスチルカメラを例示したが、これに限定されず、例えば、レンズシャッタカメラ、ビデオカメラ等の種々の形態の撮像装置、撮像装置以外の光学機器やその他の電子機器に本発明を適用してもよい。
【図面の簡単な説明】
【００７６】
【図１】本発明の第１の実施形態であるデジタルスチルカメラの電池蓋のスライド動作を説明するための説明図である。
【図２】本発明の第１の実施形態であるデジタルスチルカメラの電池装着部および記録媒体装着部の構造を説明するための分解斜視図である。
【図３】本発明の第１の実施形態であるデジタルスチルカメラの電池蓋を説明するための分解斜視図である。
【図４】本発明の第１の実施形態であるデジタルスチルカメラの電池蓋の閉じ状態を示す図であり、（ａ）は平面図、（ｂ）は（ａ）のＡ−Ａ線断面図、（ｃ）は（ｂ）のＢ−Ｂ線断面図、（ｄ）は（ａ）のＣ−Ｃ線断面図である。
【図５】本発明の第１の実施形態であるデジタルスチルカメラの電池蓋が第１のスライド位置に向けてスライド動作する途中の位置を示す図であり、（ａ）は平面図、（ｂ）は（ａ）のＡ−Ａ線断面図、（ｃ）は（ｂ）のＢ−Ｂ線断面図である。
【図６】本発明の第１の実施形態であるデジタルスチルカメラの電池蓋が第１のスライド位置にある状態を示す図であり、（ａ）は平面図、（ｂ）は（ａ）のＡ−Ａ線断面図、（ｃ）は（ｂ）のＢ−Ｂ線断面、（ｄ）は（ａ）のＣ−Ｃ線断面図である。
【図７】本発明の第１の実施形態であるデジタルスチルカメラの電池蓋が第２のスライド位置にある状態を示す図であり、（ａ）は平面図、（ｂ）は（ａ）のＡ−Ａ線断面図、（ｃ）は（ｂ）のＢ−Ｂ線断面、（ｄ）は（ａ）のＣ−Ｃ線断面図である。
【図８】本発明の第１の実施形態であるデジタルスチルカメラの電池蓋の開閉を検知するスイッチのＯＮ／ＯＦＦ位置を説明するための図である。（ａ）は平面図、（ｂ）は（ａ）のＤ−Ｄ線断面図で検知スイッチのＯＮ状態を示す図、（ｃ）は（ａ）のＤ−Ｄ線断面図で検知スイッチのＯＦＦ状態を示す図である。
【図９】本発明の第２の実施形態であるデジタルスチルカメラの電池蓋のスライド動作を説明するための説明図であり、電池蓋が閉じた状態を示す図である。
【図１０】本発明の第２の実施形態であるデジタルスチルカメラの電池蓋が第１のスライド位置にある状態を示す図である。
【図１１】本発明の第２の実施形態であるデジタルスチルカメラの電池蓋が第２のスライド位置にある状態を示す図である。
【図１２】本発明の第１の実施形態であるデジタルスチルカメラの外観を示す正面図である。
【図１３】本発明の第１の実施形態であるデジタルスチルカメラの外観を示す斜視図である。
【符号の説明】
【００７７】
１  カメラ筐体
２  レンズ鏡筒
３  ファインダ
４  電源ボタン
５  レリーズボタン
６  モードダイヤル
７  ストロボ
８  電池装着部
８Ａ  第１の分割体
８Ｂ  第２の分割体
１０  電池接片
１１  電池接片
１２  電池接片
１３  メイン基板
１３ａ  記録媒体装着部
１４  スイッチ部材
１５  スイッチバネ
１６Ａ  電池蓋（蓋部）
１６    カバー部材
１７  スライド部材
１８  スライド部材
１９  電池接片
２０  接片部材
２１  接片部材
２２  ネジ部材
２３  ストッパー部材
２４  シャフト
２５  オープンバネ
２６  記録メディアカード（記録媒体）
【図１】
2008066198.tif 000003
【図２】
2008066198.tif 000004
【図３】
2008066198.tif 000005
【図４】
2008066198.tif 000006
【図５】
2008066198.tif 000007
【図６】
2008066198.tif 000008
【図７】
2008066198.tif 000009
【図８】
2008066198.tif 000010
【図９】
2008066198.tif 000011
【図１０】
2008066198.tif 000012
【図１１】
2008066198.tif 000013
【図１２】
2008066198.tif 000014
【図１３】
2008066198.tif 000015